(57)【特許請求の範囲】
【請求項１】
接続対象導線を接続するための接続用ねじをねじ込み可能なねじ孔が設けられた端子本体と、取付け対象基板の一面に対向させられる基板対向部が設けられると共に前記端子本体を保持可能に構成された端子保持部とを備えると共に、前記基板対向部が前記一面に対向させられた状態で前記取付け対象基板の導体パターンに前記端子本体が半田付けされることによって当該取付け対象基板に対して取付け可能に構成された端子台であって、
前記端子保持部は、前記取付け対象基板に取り付けられる際に当該取付け対象基板の厚み方向と平行になる第１の方向における一端部側に前記基板対向部が設けられ、かつ前記取付け対象基板を収容可能なケーシングに当該端子保持部を固定するための締結部材を挿入可能な挿入部が設けられたケーシング固定部が前記第１の方向における他端部側に設けられると共に、前記締結部材としての固定用ねじが締め込まれる固定用ナットを嵌入可能なナット嵌入穴が前記ケーシング固定部に形成されている端子台。
【請求項２】
前記端子本体は、前記第１の方向、および前記取付け対象基板に取り付けられる際に前記一面と平行になる第２の方向の少なくとも一方に沿って前記接続用ねじを前記ねじ孔にねじ込み可能に構成され、
前記端子保持部は、前記第２の方向に沿って見たときに、前記第１の方向および当該第２の方向の両方向に対して交差する第３の方向における前記端子本体の一端部から当該第３の方向における当該端子本体の他端部までの幅範囲内に前記ケーシング固定部が位置するように構成されている請求項１記載の端子台。
【請求項３】
前記端子本体は、前記取付け対象基板に設けられた端子挿通孔に挿通させられて前記導体パターンに半田付けされる被半田付け部を少なくとも３つ備えると共に、前記第１の方向に沿って見たときに、前記各被半田付け部のうちのいずれか２つの位置を結ぶ仮想直線上に当該各被半田付け部のうちの他の少なくとも１つが位置しないように当該各被半田付け部が配置されて構成されている請求項１または２記載の端子台。
【請求項４】
請求項１〜３のいずれかに記載の端子台が前記取付け対象基板に取り付けられると共に、前記取付け対象基板が前記ケーシング内に収容されて前記端子台が当該ケーシングに固定されている電子機器。
【発明の詳細な説明】
【技術分野】
【０００１】
本発明は、半田付けによって取付け対象基板に取り付けられる端子台、および取付け対象基板にその端子台が取り付けられてケーシング内に収容された電子機器に関するものである。
【背景技術】
【０００２】
例えば、下記の特許文献１に開示されている電源機器では、結線ビズによってリード線を取付け可能に構成された複数の端子台を備えた基台（以下、本願発明に係る「端子台」との対比を容易とするために、特許文献１における「端子台」を「端子台部」といい、かつ特許文献１における「基台」を「端子台」という）が回路基板に取り付けられている。この場合、この電源機器における端子台では、結線ビズをねじ込み可能な孔（ねじ孔）が設けられた導電板と、樹脂材料等で形成されて導電板を保持する部材（保持部材）とを備え、端子台部の数に応じた数の導電板が保持部材によって保持されることで複数のリード線を接続することができるように構成されている。また、この端子台では、上記の各導電板における一端部が回路基板にそれぞれ接続される（半田付けされる）ことで回路基板に取り付けられる構成が採用されている。
【０００３】
一方、下記の特許文献２には、リード線を結合（接続）可能な結合部と、プリント基板の導電部に半田付けによって接続される足部とが一体的に形成された部材（以下、「端子本体」ともいう）、および複数の端子本体を保持する樹脂モールド部を備えて構成された端子装置が開示されている。この端子装置では、上記したように、端子本体の足部が半田付けによってプリント基板に接続されて固定されると共に、樹脂モールド部に設けられている取付穴を挿通させた取付け用ネジによって樹脂モールド部がプリント基板に固定される構成が採用されている。
【先行技術文献】
【特許文献】
【０００４】
【特許文献１】特開２００２−５０４１９号公報（第２−３頁、第１−５図）
【特許文献２】特開昭６１−４２８８１号公報（第１−２頁、第１−５図）
【発明の概要】
【発明が解決しようとする課題】
【０００５】
ところが、上記特許文献１に開示されている端子台、および上記特許文献２に開示されている端子装置には、以下のような解決すべき課題が存在する。すなわち、特許文献１に開示されている端子台では、導電板の一端部が回路基板に半田付けされることによって回路基板に取り付けられる構成が採用されている。また、特許文献１に開示されている端子台では、回路基板の厚み方向に沿った方向、および回路基板の基板面に沿った方向の２つの方向から結線ビズをねじ込み可能にねじ孔が導電板に形成されている。
【０００６】
この場合、導電板に対するリード線の接続や取外しに際して、回路基板の厚み方向に沿った向きで導電板に結線ビズをねじ込んだり、そのような向きでねじ込まれている結線ビズを緩めたりするときには、回路基板の表面に向かって端子台を押し付ける向き（回路基板の厚み方向に沿った向き）で結線ビズの頭部に工具を押し付けて回動させることとなる。したがって、工具を介して結線ビズに加えられる力が、導電板を保持している保持部材を介して回路基板の基板面に伝達されるため、導電板の被半田付け部に大きなストレスを加えることなく、結線ビズを回動させることができる。
【０００７】
これに対して、導電板に対するリード線の接続や取外しに際して、回路基板の基板面に沿った向きで導電板に結線ビズをねじ込んだり、そのような向きでねじ込まれている結線ビズを緩めたりするときには、回路基板の基板面に沿った向きで結線ビズの頭部に工具を押し付けて回動させることとなる。したがって、結線ビズを回動させる際に必要以上に大きな力で結線ビズの頭部に工具を押し付けたときには、回路基板の基板面に沿って保持部材をスライドさせる向きで端子台に大きな力が加わるため、導電板の被半田付け部にストレスが加わり、これに起因して、被半田付け部が剥離したり、被半田付け部にクラックが生じたりするおそれがある。
【０００８】
また、回路基板の厚み方向に沿った向きで導電板に結線ビズをねじ込んだり緩めたりするときであっても、回路基板の縁部から迫り出すようにして端子台が回路基板に取り付けられている場合には、工具を介して結線ビズに加えられる力が保持部材を介して回路基板の基板面に伝達され難くなる。このため、結線ビズを回動させる際に必要以上に大きな力で結線ビズの頭部に工具を押し付けたときには、導電板の被半田付け部にストレスが加わり、これに起因して、被半田付け部が剥離したり、被半田付け部にクラックが生じたりするおそれがある。
【０００９】
一方、特許文献２に開示されている端子装置では、前述したように、端子本体の足部をプリント基板に半田付けするだけでなく、樹脂モールド部に設けた取付穴を挿通させた取付け用ネジによってプリント基板に樹脂モールド部を固定する構成が採用されている。したがって、特許文献２に開示の端子装置では、プリント基板の基板面に沿った方向から接続用ねじをねじ込み可能にねじ孔が端子本体に形成されているものの、接続用ねじを回動させる際に必要以上に大きな力で接続用ねじの頭部に工具を押し付けたとしても、取付け用ネジによって樹脂モールド部がプリント基板に固定されていることで、端子本体の足部（被半田付け部）に大きなストレスが加わる事態が好適に回避される。
【００１０】
しかしながら、特許文献２に開示されている端子装置では、樹脂モールド部における幅方向（左右方向：各端子本体の配列方向）における両端部に設けられた延出片に、取付け用ネジを挿通させるための挿通孔が設けられている。したがって、特許文献２に開示されている端子装置では、接続用ねじを回動させる際に端子本体の足部（被半田付け部）に剥離やクラックが生じる事態を好適に回避できるものの、挿通孔を設けた延出片の分だけ幅方向（左右方向）のサイズが大きくなっている。このため、特許文献２に開示されている端子装置では、プリント基板における占有面積が大きくなっており、これに起因して、プリント基板や、そのプリント基板を備えた電子機器の小形化が困難となっている現状がある。
【００１１】
本発明は、かかる解決すべき課題に鑑みてなされたものであり、回路基板に取り付けられた状態における占有面積を十分に小さくしつつ、端子本体の被半田付け部に剥離やクラックが生じる事態を好適に回避し得る端子台、およびそのような端子台を備えて構成された電子機器を提供することを主目的とする。
【課題を解決するための手段】
【００１２】
上記目的を達成すべく、本発明に係る端子台は、接続対象導線を接続するための接続用ねじをねじ込み可能なねじ孔が設けられた端子本体と、取付け対象基板の一面に対向させられる基板対向部が設けられると共に前記端子本体を保持可能に構成された端子保持部とを備えると共に、前記基板対向部が前記一面に対向させられた状態で前記取付け対象基板の導体パターンに前記端子本体が半田付けされることによって当該取付け対象基板に対して取付け可能に構成された端子台であって、前記端子保持部は、前記取付け対象基板に取り付けられる際に当該取付け対象基板の厚み方向と平行になる第１の方向における一端部側に前記基板対向部が設けられ、かつ前記取付け対象基板を収容可能なケーシングに当該端子保持部を固定するための締結部材を挿入可能な挿入部が設けられたケーシング固定部が前記第１の方向における他端部側に設けられると共に、前記締結部材としての固定用ねじが締め込まれる固定用ナットを嵌入可能なナット嵌入穴が前記ケーシング固定部に形成されている。
【００１３】
また、本発明に係る端子台は、前記端子本体は、前記第１の方向、および前記取付け対象基板に取り付けられる際に前記一面と平行になる第２の方向の少なくとも一方に沿って前記接続用ねじを前記ねじ孔にねじ込み可能に構成され、前記端子保持部は、前記第２の方向に沿って見たときに、前記第１の方向および当該第２の方向の両方向に対して交差する第３の方向における前記端子本体の一端部から当該第３の方向における当該端子本体の他端部までの幅範囲内に前記ケーシング固定部が位置するように構成されている。
【００１４】
さらに、本発明に係る端子台は、前記端子本体は、前記取付け対象基板に設けられた端子挿通孔に挿通させられて前記導体パターンに半田付けされる被半田付け部を少なくとも３つ備えると共に、前記第１の方向に沿って見たときに、前記各被半田付け部のうちのいずれか２つの位置を結ぶ仮想直線上に当該各被半田付け部のうちの他の少なくとも１つが位置しないように当該各被半田付け部が配置されて構成されている。
【００１５】
また、本発明に係る電子機器は、上記のいずれかの端子台が前記取付け対象基板に取り付けられると共に、前記取付け対象基板が前記ケーシング内に収容されて前記端子台が当該ケーシングに固定されている。
【発明の効果】
【００１６】
本発明に係る端子台では、端子保持部に設けられた基板対向部が取付け対象基板の一面に対向させられた状態で取付け対象基板の導体パターンに端子本体が半田付けされることによって取付け対象基板に対して取付け可能に構成されると共に、取付け対象基板に取り付けられる際に取付け対象基板の厚み方向と平行になる第１の方向における端子保持部の一端部側に基板対向部が設けられ、かつ取付け対象基板を収容可能なケーシングに端子保持部を固定するための締結部材を挿入可能な挿入部が設けられたケーシング固定部が第１の方向における端子保持部の他端部側に設けられている。また、本発明に係る電子機器では、上記の端子台が取付け対象基板に取り付けられると共に、取付け対象基板がケーシング内に収容されて端子台がケーシングに固定されている。
【００１７】
したがって、本発明に係る端子台および電子機器によれば、端子本体に対して接続用ねじをねじ込んだり緩めたりする際に加わる力が、端子本体と取付け対象基板との半田付け部位、およびケーシング固定部とケーシングとの固定部位に分散されるため、半田付け部に大きなストレスが加わる事態が好適に回避される結果、半田付け部に剥離やクラックが生じる事態を好適に回避することができる。また、取付け対象基板の厚み方向に沿った第１の方向に沿って基板対向部とケーシング固定部とを設けたことにより、例えば基板対向部とケーシング固定部とを取付け対象基板の一面に沿って並べて設けた場合と比較して、端子台による取付け対象基板の占有面積を十分に小さくすることができる。
【００１８】
また、本発明に係る端子台では、第１の方向、および取付け対象基板に取り付けられる際に取付け対象基板の一面と平行になる第２の方向の少なくとも一方に沿って接続用ねじをねじ孔にねじ込み可能に端子本体が構成され、第２の方向に沿って見たときに、第１の方向および第２の方向の両方向に対して交差する第３の方向における端子本体の一端部から第３の方向における端子本体の他端部までの幅範囲内にケーシング固定部が位置するように端子保持部が構成されている。したがって、本発明に係る端子台および電子機器によれば、幅範囲の外にケーシング固定部を設けた構成と比較して、第３の方向に沿った端子台の大きさを十分に小さくすることができる結果、端子台による取付け対象基板の占有面積を十分に小さくすることができる。
【００１９】
さらに、本発明に係る端子台では、端子本体が、取付け対象基板の導体パターンに半田付けされる被半田付け部を少なくとも３つ備えると共に、第１の方向に沿って見たときに、各被半田付け部のうちのいずれか２つの位置を結ぶ仮想直線上に各被半田付け部のうちの他の少なくとも１つが位置しないように各被半田付け部が配置されている。したがって、本発明に係る端子台および電子機器によれば、第２の方向に沿った力が加えられたときに、各被半田付け部が１本の仮想直線上に位置するように配置した構成と比較して、各被半田付け部に変形が生じ難いため、例えば、ケーシングに端子台を固定する際にケーシング固定部の挿入部に締結部材を挿入するときに締結部材の先端部が挿入部の口縁部に当接したとしても、取付け対象基板に対する端子台の傾きが生じる事態を好適に回避することができる。
【図面の簡単な説明】
【００２０】
【図１】電源装置１００における端子台１近傍の断面図である。
【図２】端子台１の外観斜視図である。
【図３】端子台１の正面図である。
【図４】端子台１の背面図である。
【図５】端子台１の平面図である。
【図６】ケーシング３の上ケース１３ａに固定用ねじ６によって端子台１Ｘを取り付ける作業の一例について説明するための説明図である。
【図７】電源装置１００Ａにおける端子台１近傍の断面図である。
【図８】電源装置１００Ｂにおける端子台１Ｂ近傍の断面図である。
【発明を実施するための形態】
【００２１】
以下、端子台および電源装置の実施の形態について、添付図面を参照して説明する。
【００２２】
図１に示す電源装置１００は、「電子機器」の一例であって、端子台１が取り付けられた状態の回路基板２がケーシング３内に収容されて構成されている。
【００２３】
回路基板２は、「取付け対象基板」の一例であって、図示しない導体パターンが形成されると共に、電源回路を構成する各種の電子部品（図示せず）や端子台１が実装されている（取り付けられている）。また、ケーシング３は、「ケーシング」の一例であって、金属板で形成された上ケース１３ａおよび下ケース１３ｂを備え、端子台１が取り付けられた状態の回路基板２を収容できるように構成されている。この場合、上ケース１３ａには、後述するように、端子台１を固定するための固定用ねじ６を挿通可能な挿通孔１３ｈが形成されている。
【００２４】
さらに、端子台１は、「端子台」の一例である基板実装型の端子台であって、図１〜５に示すように、一対の端子本体１１と、両端子本体１１を保持する端子保持部１２とを備えて構成されている。端子本体１１は、「端子本体」の一例であって、図示しない接続対象導線（リード線：電源線）を接続するための接続用ねじ４（「接続用ねじ」の一例）をねじ込み可能なねじ孔２１ｈおよびねじ孔２２ｈが設けられた金属板で構成されている。
【００２５】
この場合、本例の端子台１における端子本体１１では、回路基板２に取り付けられる際に回路基板２の厚み方向と平行になる「第１の方向（端子台１における高さ方向：図１〜４における矢印Ａの方向）」に沿って接続用ねじ４をねじ込み可能なねじ孔２１ｈ，２１ｈが上面側板状部２１に形成されると共に、回路基板２に取り付けられる際に回路基板２の一面（基板面：部品実装面）と平行になる「第２の方向（端子台１の正面から背面に向かう向きに沿った方向：図１，２，５における矢印Ｂの方向）」に沿って接続用ねじ４をねじ込み可能なねじ孔２２ｈ，２２ｈが正面側板状部２２に形成されている（「少なくとも一方」が「第１の方向」および「第２の方向」の両方向の構成の例）。
【００２６】
また、本例の端子台１における端子本体１１では、回路基板２に設けられた端子挿通孔２ｈ（「端子挿通孔」の一例：図１参照）に挿通させられて図示しない導体パターンに半田付けされる３つの被半田付け部２４ａ，２４ｂ，２４ｂが底面側板状部２３における背面側（正面側板状部２２とは逆側）に設けられている。この場合、図５に示すように、この端子台１では、上記の「第１の方向」に沿って見たときに、被半田付け部２４ｂ，２４ｂ（「各被半田付け部のうちのいずれか２つ」の一例）の位置を結ぶ一点鎖線Ｌ（「仮想直線」の一例）上に被半田付け部２４ａ（「各被半田付け部のうちの他の少なくとも１つ」の一例）が位置しないように各被半田付け部２４ａ，２４ｂ，２４ｂの位置が規定されている。
【００２７】
一方、端子保持部１２は、「端子保持部」の一例であって、図１〜５に示すように、両端子本体１１，１１を保持可能に構成されると共に、回路基板２の一面に対向させられる（本例では、回路基板２の一面に接触させられる）基板対向部３２（「基板対向部」の一例）が底部に設けられた保持部本体３１と、ケーシング３（上ケース１３ａ）に端子保持部１２を固定するためのケーシング固定部３３（「ケーシング固定部」の一例）と、各端子本体１１に対する接続対象導線の接続領域を区画する区画壁３４とが樹脂材料等の絶縁性材料によって一体的に形成されている。また、図１，４に示すように、保持部本体３１には、端子本体１１を背面側から正面側（図１における左側から右側）に向かって圧入可能な端子挿入孔３１ｈが形成されている。
【００２８】
さらに、ケーシング固定部３３は、図１〜５に示すように、ケーシング３（上ケース１３ａ）に端子保持部１２を固定するための固定用ねじ６（「締結部材」の一例）を挿入可能な挿入孔３３ｈ（「挿入部」の一例）と、固定用ねじ６が締め込まれる固定用ナット５を嵌入可能なナット嵌入穴３３ａとが形成されて保持部本体３１から上向きに突出させられると共に、ナット嵌入穴３３ａに固定用ナット５が嵌入されている。この場合、本例の端子台１では、保持部本体３１における「第１の方向」の一端部側（下端部側）に基板対向部３２が設けられると共に、保持部本体３１における上記の「第１の方向」の他端部側（上端部側）にケーシング固定部３３が設けられている。
【００２９】
また、本例の端子台１では、図３に示すように、「第２の方向（端子台１の正面から背面に向かう向きに沿った方向：端子台１の取付け部においてケーシング３の外部から内部に向かう向きに沿った方向）」に沿って端子保持部１２を見たときに、端子台１の横幅方向（端子本体１１，１１の配列方向：「第１の方向および第２の方向の両方向に対して交差する第３の方向」の一例：図２〜５における矢印Ｃの方向）における各端子本体１１の一端部（同図における左端部）から横幅方向（第３の方向）におけるその端子本体１１の他端部（同図における右端部）までの幅範囲Ｈ内に１つのケーシング固定部３３が位置するように構成されている。この場合、本例の端子台１では、固定用ねじ６を挿入する挿入孔３３ｈが幅範囲Ｈ内に位置するようにケーシング固定部３３設けられているだけでなく、挿入孔３３ｈを含むケーシング固定部３３の全体が上記の幅範囲Ｈ内に位置するように端子保持部１２が構成されている。
【００３０】
また、図２に示すように、本例の端子台１では、端子本体１１のねじ孔２１ｈに接続用ねじ４をねじ込んで接続対象導線を端子本体１１（上面側板状部２１）に接続したとき、および端子本体１１のねじ孔２２ｈに接続用ねじ４をねじ込んで接続対象導線を端子本体１１（正面側板状部２２）に接続したときに、接続用ねじ４や接続対象導線を覆って保護するための保護カバー７を取付け可能な取付け用孔が区画壁３４に形成されている。
【００３１】
この電源装置１００の製造（組立て）に際しては、まず、電源回路を構成する他の電子部品と共に端子台１を回路基板２に取り付ける（実装する）。具体的には、回路基板２に形成されている端子挿通孔２ｈ（図１参照）に端子本体１１の各被半田付け部２４ａ，２４ｂを挿通させ、かつ端子保持部１２の基板対向部３２を回路基板２の一面に接触させるようにして回路基板２上に端子台１を配置する（「基板対向部が前記一面に対向させられた状態」の一例）。次いで、端子挿通孔２ｈを挿通させた各被半田付け部２４ａ，２４ｂを回路基板２の裏面側（図１における下面側）において図示しない導体パターンに半田付けする。これにより、端子台１の各端子本体１１が回路基板２の電源回路に接続されると共に、回路基板２に対する端子台１の取付け（実装）が完了する。
【００３２】
次に、回路基板２をケーシング３内に収容する。具体的には、まず、図示しない固定用ねじによって下ケース１３ｂに回路基板２を固定する。この場合、図１に示すように、本例の電源装置１００では、下ケース１３ｂにおける内面の近傍に回路基板２が位置するようにケーシング３内に回路基板２を収容する構成が採用されている。したがって、本例の電源装置１００では、回路基板２の裏面側に突出している接続端子（端子台１における被半田付け部２４ａ，２４ｂ等）が下ケース１３ｂに直接接するのを回避するために、下ケース１３ｂと回路基板２との間に絶縁シート１３ｃを介在させた状態で、下ケース１３ｂに回路基板２を固定する構成が採用されている。
【００３３】
なお、前述した固定用ナット５については、回路基板２に端子台１を取り付ける以前（端子台１の製作時点）、および回路基板２に端子台１を取り付けた時点のいずれかにおいて、ケーシング固定部３３のナット嵌入穴３３ａに嵌入する。次いで、回路基板２が固定された状態の下ケース１３ｂに上ケース１３ａを被せて固定する。具体的には、まず、下ケース１３ｂに上ケース１３ａを被せる。この際には、図１に示すように、回路基板２に取り付けられている端子台１におけるケーシング固定部３３の外側に上ケース１３ａにおける挿通孔１３ｈの形成部位が位置させられて、ケーシング固定部３３の挿入孔３３ｈ、ナット嵌入穴３３ａに嵌入されている固定用ナット５のねじ孔、および挿通孔１３ｈが「第２の方向」で連通した状態となる。
【００３４】
次いで、挿通孔１３ｈを挿通させた固定用ねじ６を挿入孔３３ｈに挿入してナット嵌入穴３３ａ内の固定用ナット５にねじ込む。この場合、回路基板２が固定されている下ケース１３ｂに上ケース１３ａを被せたときに、上ケース１３ａの挿通孔１３ｈと、回路基板２に取り付けられている端子台１におけるケーシング固定部３３の挿入孔３３ｈとに僅かな位置ずれが生じた状態となることがある。このような状態において上ケース１３ａの挿通孔１３ｈを挿通させた固定用ねじ６をケーシング固定部３３の挿入孔３３ｈに挿入しようとしたときには、固定用ねじ６の先端部が挿入孔３３ｈの口縁部（ケーシング固定部３３）に当接する結果、固定用ねじ６を挿入しようとしている向き（回路基板２の一面に沿った向き）で、ケーシング固定部３３を押圧する力が加わるおそれがある。
【００３５】
この際に、本例の端子台１とは相違するが、例えば、図６に示す端子台１Ｘのように、各被半田付け部２４ｘが１本の「仮想直線」上に位置するように（一例として、端子台１における被半田付け部２４ｂ，２４ｂが位置している一点鎖線Ｌ上と同じ仮想直線上に位置するように）配置されている端子本体１１ｘを備えて「端子台」を構成することもできる。この端子台１ｘでは、各被半田付け部２４ｘにおける折曲り部位（端子本体１１ｘの製作時に金属板を折り曲げたことで物理的強度がやや弱くなっている部位）が同図に示す点Ｐｘを通過する直線上に位置した状態となっている。
【００３６】
したがって、この端子台１ｘが回路基板２に取り付けられている場合には、挿入孔３３ｈの口縁部（ケーシング固定部３３）に当接した状態の固定用ねじ６を「第２の方向」に沿って挿入孔３３ｈに挿入しようとしたときに、被半田付け部２４ｘにおける折曲り部位に変形が生じて、この折曲り部位を回動中心として端子台１ｘが回路基板２に対して傾き、回路基板２の一面から基板対向部３２が離間してしまうおそれがある。このような場合には、回路基板２における端子挿通孔２ｈの近傍や被半田付け部２４ｘにストレスが加わり、被半田付け部２４ｘと導体パターンとを接続している半田にクラックや剥離が生じるおそれがある。
【００３７】
これに対して、前述したように、本例の端子台１では、「第１の方向」に沿って見たときに被半田付け部２４ｂ，２４ｂの位置を結ぶ「仮想直線（図５に示す一点鎖線Ｌ）」上に被半田付け部２４ａが位置しないように各被半田付け部２４ａ，２４ｂ，２４ｂが配置されている。このため、本例の端子台１では、被半田付け部２４ａにおける折曲り部位が図１に示す点Ｐａを通過する直線上に位置すると共に、被半田付け部２４ｂにおける折曲り部位が同図に示す点Ｐｂを通過する直線上に位置した状態となっている。
【００３８】
したがって、本例の端子台１では、挿通孔１３ｈおよび挿入孔３３ｈに生じた僅かな位置ずれに起因して挿入孔３３ｈの口縁部（ケーシング固定部３３）に固定用ねじ６が当接している状態において、その固定用ねじ６を「第２の方向」に沿って挿入孔３３ｈに挿入することにより、固定用ねじ６を挿入しようとしている向き（回路基板２の一面に沿った向き）でケーシング固定部３３を押圧する力が加わったとしても、各被半田付け部２４ａ，２４ｂ，２４ｂの折曲り部位が同一直線上に位置していないことで被半田付け部２４ａ，２４ｂ，２４ｂに変形が生じ難くなっている。これにより、回路基板２に対して端子台１が傾いて回路基板２の一面から基板対向部３２が離間する事態が好適に回避される。
【００３９】
この後、ケーシング固定部３３のナット嵌入穴３３ａに嵌入されている固定用ナット５に固定用ねじ６を十分に締め込むことにより、図１に示すように、上ケース１３ａにおける挿通孔１３ｈの口縁部がケーシング固定部３３における挿入孔３３ｈの口縁部に密着した状態で上ケース１３ａに端子台１（ケーシング固定部３３）が固定される。これにより、ケーシング３内への回路基板２の収容、および収容された回路基板２に取り付けられている端子台１のケーシング３（上ケース１３ａ）に対する固定が完了し、電源装置１００が完成する。
【００４０】
この電源装置１００の使用に際しては、端子台１の端子本体１１，１１に接続対象導線を接続する。この際に、本例の電源装置１００における端子台１では、前述したように、端子本体１１に対して接続対象導線を接続するための接続用ねじ４を、回路基板２の厚み方向（図１に示す矢印Ａの方向）に沿ってねじ込み可能なねじ孔２１ｈと、回路基板２の一面に沿った方向（図１に示す矢印Ｂの方向）に沿ってねじ込み可能なねじ孔２２ｈとが形成されている。
【００４１】
この場合、上面側板状部２１に形成されているねじ孔２１ｈに接続用ねじ４をねじ込んで接続対象導線を端子本体１１に接続するには、図１に示す矢印Ａ１の向き（同図において下向き）で接続用ねじ４の頭部に工具を押し付けることとなる。このため、ねじ孔２１ｈに接続用ねじ４をねじ込んだり、ねじ孔２１ｈにねじ込まれている接続用ねじ４を緩めたりするときには、基板対向部３２の近傍を回動中心として回路基板２に対して端子台１を矢印Ｄａの向き（同図において時計回り）で回動させようとする力が加えられることとなる。しかしながら、本例の端子台１では、固定用ねじ６によってケーシング固定部３３がケーシング３（上ケース１３ａ）に固定されているため、上記のような力が加わったとしても、端子台１が矢印Ｄａの向きで回動する事態が好適に回避されると共に、被半田付け部２４ａ，２４ｂ，２４ｂと回路基板２の導体パターンとの半田付け部に大きなストレスが加わる事態が回避される。これにより、接続用ねじ４の頭部に対して空回りさせることのないように十分な力で工具を押し付けつつ接続用ねじ４をねじ込んだり緩めたりすることができる。
【００４２】
また、正面側板状部２２に形成されているねじ孔２２ｈに接続用ねじ４をねじ込んで接続対象導線を端子本体１１に接続するには、図１に示す矢印Ｂ１の向き（同図において右から左への向き）で接続用ねじ４の頭部に工具を押し付けることとなる。このため、ねじ孔２２ｈに接続用ねじ４をねじ込んだり、ねじ孔２２ｈにねじ込まれている接続用ねじ４を緩めたりするときには、回路基板２に対する被半田付け部２４ａ，２４ｂ，２４ｂの半田付け部の近傍を回動中心として回路基板２に対して端子台１を矢印Ｄｂの向き（同図において反時計回り）で回動させようとする力が加えられることとなる。しかしながら、本例の端子台１では、固定用ねじ６によってケーシング固定部３３がケーシング３（上ケース１３ａ）に固定されているため、上記のような力が加わったとしても、端子台１が矢印Ｄｂの向きで回動する事態が好適に回避されると共に、被半田付け部２４ａ，２４ｂ，２４ｂと回路基板２の導体パターンとの半田付け部に大きなストレスが加わる事態が回避される。これにより、接続用ねじ４の頭部に対して空回りさせることのないように十分な力で工具を押し付けつつ接続用ねじ４をねじ込んだり緩めたりすることができる。
【００４３】
このように、この端子台１では、端子保持部１２に設けられた基板対向部３２が回路基板２の一面に対向させられた状態で回路基板２の導体パターンに端子本体１１が半田付けされることによって回路基板２に対して取付け可能に構成されると共に、回路基板２に取り付けられる際に回路基板２の厚み方向と平行になる「第１の方向」における端子保持部１２の一端部側に基板対向部３２が設けられ、かつ回路基板２を収容可能なケーシング３に端子保持部１２を固定するための固定用ねじ６を挿入可能な挿入孔３３ｈが設けられたケーシング固定部３３が「第１の方向」における端子保持部１２の他端部側に設けられている。また、この電源装置１００では、上記の端子台１が回路基板２に取り付けられると共に、回路基板２がケーシング３内に収容されて端子台１がケーシング３に固定されている。
【００４４】
したがって、この端子台１および電源装置１００によれば、端子本体１１に対して接続用ねじ４をねじ込んだり緩めたりする際に加わる力が、端子本体１１（被半田付け部２４ａ，２４ｂ，２４ｂ）と回路基板２との半田付け部位、およびケーシング固定部３３とケーシング３（上ケース１３ａ）との固定部位に分散されるため、半田付け部に大きなストレスが加わる事態が好適に回避される結果、半田付け部に剥離やクラックが生じる事態を好適に回避することができる。また、回路基板２の厚み方向に沿った「第１の方向」に沿って基板対向部３２とケーシング固定部３３とを設けたことにより、例えば「基板対向部」と「ケーシング固定部」とを「取付け対象基板」の一面に沿って並べて設けた場合と比較して、端子台１による回路基板２の占有面積を十分に小さくすることができる。
【００４５】
また、この端子台１では、「第１の方向」、および回路基板２に取り付けられる際に回路基板２の一面と平行になる「第２の方向」の少なくとも一方（本例では、双方）に沿って接続用ねじ４をねじ孔２１ｈ，２２ｈにねじ込み可能に端子本体１１が構成され、「第２の方向」に沿って見たときに、「第１の方向」および「第２の方向」の両方向に対して交差する（本例では、「直交する」）「第３の方向」における端子本体１１の一端部から「第３の方向」における端子本体１１の他端部までの幅範囲Ｈ内にケーシング固定部３３が位置するように端子保持部１２が構成されている。したがって、この端子台１および電源装置１００によれば、幅範囲Ｈの外に「ケーシング固定部」を設けた構成と比較して、「第３の方向」に沿った端子台１の大きさを十分に小さくすることができる結果、端子台１による回路基板２の占有面積を十分に小さくすることができる。
【００４６】
さらに、この端子台１では、端子本体１１が、回路基板２の導体パターンに半田付けされる３つの被半田付け部２４ａ，２４ｂ，２４ｂを備えると共に、「第１の方向」に沿って見たときに、被半田付け部２４ｂ，２４ｂの位置を結ぶ「仮想直線（図５における一点鎖線Ｌ）」上に被半田付け部２４ａが位置しないように各被半田付け部２４ａ，２４ｂ，２４ｂが配置されている。したがって、この端子台１および電源装置１００によれば、「第２の方向」に沿った力が加えられたときに、各「被半田付け部」が１本の「仮想直線」上に位置するように配置した構成と比較して、被半田付け部２４ａ，２４ｂ，２４ｂに変形が生じ難いため、例えば、ケーシング３（上ケース１３ａ）に端子台１を固定する際にケーシング固定部３３の挿入孔３３ｈに固定用ねじ６を挿入するときに固定用ねじ６の先端部が挿入孔３３ｈの口縁部に当接したとしても、回路基板２に対する端子台１の傾きが生じる事態を好適に回避することができる。
【００４７】
なお、「端子台」および「電子機器」の構成は、上記の構成の例に限定されない。例えば、基板対向部３２が回路基板２の一面に直接接触するように基板対向部３２を回路基板２に対向させた状態で回路基板２に端子台１を取り付ける例について説明したが、「基板対向部」と「取付け対象基板の一面」との間に各種のシート（フィルム）やスペーサ等を挟み込むようにして「基板対向部」を「取付け対象基板の一面」に対向させた状態で「取付け対象基板」に「端子台」を取り付けることもできる（図示せず）。
【００４８】
また、挿入孔３３ｈを含むケーシング固定部３３の全体が上記の幅範囲Ｈ内に位置するように構成した例について説明したが、「挿入部」が「幅範囲」内に位置している限り、「ケーシング固定部」の一部が「幅範囲」から僅かにはみ出していたとしても、上記の端子台１と同様に「第３の方向」に沿った「端子台」の大きさを十分に小さくすることができる結果、「端子台」による「取付け対象基板」の占有面積を十分に小さくすることができる。さらに、上記の端子台１のように、複数の「端子本体」が並んで配設された「端子台」においては、隣り合う「端子本体」毎の「幅範囲」の間（例えば、上記の端子台１における中央部の区画壁３４の上方）に「ケーシング固定部」が位置していたとしても、上記の端子台１と同様にして「第３の方向」に沿った「端子台」の大きさを十分に小さくすることができる結果、「端子台」による「取付け対象基板」の占有面積を十分に小さくすることができる。
【００４９】
また、下ケース１３ｂと回路基板２との間に絶縁シート１３ｃを介在させた電源装置１００を例に挙げて説明したが、図７に示す電源装置１００Ａ（「電子機器」の他の一例）におけるケーシング３Ａのように、下ケース１３ｄの内面が回路基板２の裏面から十分に離れている場合には、絶縁シート１３ｃを不要とすることもできる。この場合、同図に示すケーシング３Ａの下ケース１３ｄでは、端子台１（端子本体１１）に対する接続対象導線の着脱時に回路基板２と下ケース１３ｄとの間に作業者の指などが挿入されるのを防止するために、同図における右側の縁部が上方（回路基板２）に向かって折り曲げられている。なお、同図における電源装置１００Ａ、および図８に示す電源装置１００Ｂにおいて前述した電源装置１００と同様の機能を有する構成要素については、同一の符号を付して重複する説明を省略する。
【００５０】
また、端子台１を取り付けた状態の回路基板２を、上ケース１３ａおよび下ケース１３ｂ（１３ｄ）を備えたケーシング３（３Ａ）内に収容した電源装置１００（１００Ａ）を例に挙げて説明したが、下ケース１３ｂ（１３ｄ）については、「電子機器」の仕様に応じて不要とする（上ケース１３ａのみからなる「ケーシング」に回路基板２を収容する）こともできる。さらに、ケーシング３（３Ａ）における上ケース１３ａの内側にケーシング固定部３３が位置するように端子台１を固定する例について説明したが、「ケーシング」の外側にケーシング固定部３３が位置するように端子台１を固定する構成を採用することもできる（図示せず）。
【００５１】
また、ケーシング固定部３３に対して「第２の方向」に沿って固定用ねじ６をねじ込むことで上ケース１３ａに端子台１を固定する構成を例に挙げて説明したが、「ケーシング固定部」の構成はこれに限定されない。例えば、図８に示す電源装置１００Ｂ（「電子機器」のさらに他の一例）における端子台１Ｂは、「端子台」の他の一例であって、前述した端子台１におけるケーシング固定部３３に代えてケーシング固定部４３を備えて構成されている。
【００５２】
この場合、この端子台１Ｂのケーシング固定部４３は、「挿入部」の他の一例である挿入穴４３ｈが設けられると共に、「ケーシング」の他の一例であるケーシング３Ｂにおける上ケース１３ｅに形成された挿通孔１３ｈを挿通させた固定用ねじ６を、「第１の方向」（同図における矢印Ａの方向）に沿って挿入穴４３ｈに挿入し、ナット嵌入孔４３ａに嵌入されている固定用ナット５にねじ込むことで上ケース１３ｅに端子台１Ｂを固定することができるように構成されている。このような構成のケーシング固定部４３を備えた端子台１Ｂにおいても、前述した端子台１と同様の効果を奏することができる。
【００５３】
さらに、固定用ナット５に固定用ねじ６をねじ込むことでケーシング３（３Ａ，３Ｂ）に端子台１（１Ｂ）を固定する構成を例に挙げて説明したが、固定用ねじ６のようなねじ部材を「締結部材」として使用する構成に代えて、リベットを「締結部材」として使用する構成を採用することもできる。加えて、「電子機器」の一例としての電源装置１００（１００Ａ，１００Ｂ）の構成を例に挙げて説明したが、「電子機器」は「電源装置」に限定されず、各種の機器に適用することができる。
【符号の説明】
【００５４】
１００，１００Ａ，１００Ｂ  電源装置
１，１Ｂ，１Ｘ  端子台
２  回路基板
２ｈ  端子挿通孔
３，３Ａ，３Ｂ  ケーシング
４  接続用ねじ
５  固定用ナット
６  固定用ねじ
１１，１１ｘ  端子本体
１２，１２ｂ  端子保持部
１３ａ，１３ｅ  上ケース
１３ｂ，１３ｄ  下ケース
１３ｈ  挿通孔
２１  上面側板状部
２１ｈ，２２ｈ  ねじ孔
２２  正面側板状部
２３  底面側板状部
２４ａ，２４ｂ，２４ｘ  被半田付け部
３１  保持部本体
３１ｈ  端子挿入孔
３２  基板対向部
３３，４３  ケーシング固定部
３３ａ，４３ａ  ナット嵌入穴
３３ｈ  挿入孔
４３ｈ  挿入穴
Ｌ  一点鎖線
Ｈ  幅範囲
【図１】
0006672944.tif 000002
【図２】
0006672944.tif 000003
【図３】
0006672944.tif 000004
【図４】
0006672944.tif 000005
【図５】
0006672944.tif 000006
【図６】
0006672944.tif 000007
【図７】
0006672944.tif 000008
【図８】
0006672944.tif 000009